(57)【特許請求の範囲】
【請求項１】
冷却器で生成した冷気を冷凍室、冷蔵室等に送風機により強制的に循環させる冷蔵庫において、前記送風機の前面に位置し、全体が一枚の平板状に形成された冷気案内板の一部で前記送風機に対向する部分を、該送風機側に突出し前記冷気を四方に導く整流案内板とすると共に、前記冷気案内板の冷気吹出し口を前記整流案内板以外の前記平板状の部分で、且つ前記整流案内板に対向しない箇所に設けたことを特徴とする冷蔵庫。
【請求項２】
冷凍室が冷蔵庫中央に位置する引き出し式であることを特徴とする請求項１記載の冷蔵庫。
【請求項３】
冷蔵庫上部に冷凍室を備え、該冷凍室扉部に冷気を導くダクトに一体に形成され、整流案内板を目隠しする目隠し板を備えたことを特徴とする請求項１記載の冷蔵庫。
【発明の詳細な説明】
【０００１】
【発明の属する技術分野】
この発明は、冷気循環用送風機を用いた冷蔵庫に関し、特に送風機前面の乱流により、発生する騒音の低減及び風量アップを図るものである。
【０００２】
【従来の技術】
図１２は、例えば実開昭５６−１６１４７４号公報に示された従来の冷気循環用送風機を用いた冷蔵庫の要部拡大縦断面図であり、図に示すように送風機用ファン１１の前面に設けられた冷気案内板２０と送風機用ファン１１の間に冷気整流案内板１４を冷気の流れ５０を誘導するように、ベルマウス固定ネジ１５にて固定していた。
又、従来の冷気整流案内板１４は射出成形にて成形されている。
【０００３】
【発明が解決しようとする課題】
従来の冷蔵庫は、上記のように構成されているので、冷気案内板２０と冷気整流案内板１４の間の隙間で乱流５１が発生したり、部品点数が多いという問題点があった。
【０００４】
この発明は、以上のような問題点を解消するためになされたもので、部品点数を増やさずに送風機の騒音を低減できる冷蔵庫を提供することを目的とする。
【０００５】
請求項１の冷蔵庫は、冷却器で生成した冷気を冷凍室、冷蔵室等に送風機により強制的に循環させる冷蔵庫において、送風機の前面に位置し、全体が一枚の平板状に形成された冷気案内板の一部で送風機に対向する部分を、送風機側に突出し冷気を四方に導く整流案内板とすると共に、冷気案内板の冷気吹出し口を整流案内板以外の平板状の部分で、且つ整流案内板に対向しない箇所に設けたことを特徴とする。
【０００６】
請求項２の冷蔵庫は、請求項１記載のものにおいて、冷凍室が冷蔵庫中央に位置する引き出し式であることを特徴とする。
【０００７】
請求項３の冷蔵庫は、請求項１記載のものにおいて、冷蔵庫上部に冷凍室を備え、冷凍室扉部に冷気を導くダクトに一体に形成され、整流案内板を目隠しする目隠し板を備えたことを特徴とする。
【０００８】
【発明の実施の形態】
実施の形態１．
以下、この発明の実施の形態１を図について説明する。
図１は、この発明の実施の形態１の冷蔵庫を正面から見た正面図であり、図において、１は冷蔵庫本体、２は冷蔵庫中央に位置する引き出し式冷凍室ドアー、３は冷蔵室ドアー、４は野菜室扉である。
【０００９】
図２は、この発明の実施の形態１による冷蔵庫の縦断面図であり、図において、１０は送風機用モーター、１１は送風機用ファン、２０は冷気案内板、６は冷却器である。
【００１０】
図３・図４はこの発明の実施の形態１による冷蔵庫の冷凍室正面図と縦断面図であり、冷気案内板２０に設けられた冷気吸入口１３より吸い込まれた冷気５０は、ベルマウス２１と内箱５の間に位置する冷却器６を通って、送風機用モーター１０によって回転する送風機用ファン１１によって冷気案内板２０に一体で整形された円錐状に送風機用ファン１１側に突出した冷気整流案内板１４に吹き付けられる。２２は冷気整流案内板１４に設けられた冷気を仕切るリブである。
【００１１】
図５は図４の要部拡大縦断面図であり、送風機用ファン１１によって吹き付けられた冷気５０は冷気の整流案内板１４に沿って上下左右に吹出す。
【００１２】
図６はこの発明の実施の形態１による冷蔵庫の冷凍室横断面図であり、整流された冷気５０は冷気吹出し口１２を通って冷凍室７へ、冷蔵室用冷気供給口３２を通って冷蔵室用冷気供給路３１に吹出す。
【００１３】
図７はこの発明の実施の形態１による冷蔵庫の冷蔵室用冷気供給路口接続部拡大縦断面図であり、図に示すようにベルマウス２１によって形成された冷蔵室用冷気供給口３２は、冷却器６の上方に位置する内箱５によって形成される冷気供給口３１と接触している。
【００１４】
本実施の形態による冷気案内板２０と冷気整流案内板１４は、両者が一体で構成されている為、１回の射出成形で成形できる。
【００１５】
この実施の形態１による冷蔵庫は、冷凍庫中央に引き出し式の冷凍室を持つ冷凍冷蔵庫において、送風機前面の冷気案内板２０と一体に円錐状の冷気整流案内板１４を形成したことにより、図１２に示した冷気の乱流５１の発生が無く、冷気案内板２０に冷気整流案内板１４を形成したことにより冷気案内板２０が強度アップされ低振動になり、又部品点数もより少なくなると共に送風機の騒音を低減できる。
【００１６】
実施の形態２．
以下、この発明の実施の形態２を図について説明する。
図８は、この発明の実施の形態２による冷蔵庫の正面図であり、図において、１は冷蔵庫本体、２は冷蔵庫上方に位置する冷凍室ドアー、３は冷蔵室ドアーである。
【００１７】
図９は、この発明の実施の形態２による冷蔵庫の縦断面図であり、図において、１０は送風機用モーター、１１は送風機用ファン、２０は冷気案内板、６は冷却器、１６は冷凍室扉部用冷気供給ダクトである。
【００１８】
図１０は、この発明の実施の形態２による冷蔵庫の冷凍室の拡大縦断面図で、図に示すように、冷気案内板２０に一体で設けられた冷気整流案内板１４の庫内奥部の凹みを冷凍室扉部用冷気供給ダクト１６に設けられた目隠し板１７にて隠している。
【００１９】
図１１は、この発明の実施の形態２による冷凍室の正面図で、冷気案内板２０に一体で設けられた冷気整流案内板１４の庫内奥部の凹みを冷凍室扉部用冷気供給ダクト１６に設けられた目隠し板１７にて隠している。
【００２０】
この実施の形態２による冷蔵庫は、冷凍室が冷蔵庫上部に位置する扉開閉式のものにおいて、送風機前面の冷気案内板２０に円錐状の冷気整流案内板１４を設けた場合に出来る凹み部を、冷凍室天井面の冷凍室扉部用冷気供給ダクト１６と一体の目隠し板１７にて隠すことができ、部品点数を増やすことなく、凹み部に汚れがたまるという不具合を改善でき、又部品点数を増やすこと無く送風機の騒音を低減できる。
【００２１】
【発明の効果】
以上説明したように、この発明によれば、冷気案内板に冷気の整流案内板を一体に形成したので、冷気の乱流が無く部品点数を増やさずに送風機の騒音を低減できる。
【図面の簡単な説明】
【図１】この発明の実施の形態１による冷蔵庫の正面図である。
【図２】この発明の実施の形態１による冷蔵庫の縦断面図である。
【図３】この発明の実施の形態１による冷蔵庫の冷凍室内正面図である。
【図４】この発明の実施の形態１による冷蔵庫の冷凍室縦断面図である。
【図５】この発明の実施の形態１による冷蔵庫の要部拡大断面図である。
【図６】この発明の実施の形態１による冷蔵庫の冷凍室縦断面図である。
【図７】この発明の実施の形態１による冷蔵庫の冷蔵室用冷気供給路接続拡大図である。
【図８】この発明の実施の形態２による冷蔵庫の正面図である。
【図９】この発明の実施の形態２による冷蔵庫の縦断面図である。
【図１０】この発明の実施の形態２による冷蔵庫の冷凍室縦断面図である。
【図１１】この発明の実施の形態２による冷蔵庫の冷凍室内正面図である。
【図１２】従来の冷蔵庫の要部拡大断面図である。
【符号の説明】
１  冷蔵庫本体、２  冷凍室扉、３  冷蔵室扉、６  冷却器、１０  送風機用モーター、１１  送風機用ファン、１４  冷気整流案内板、１７  目隠し板、２０  冷気案内板、５０  整流された冷気の流れ、５１  乱流となった冷気の流れ。
【図１】
0003631316.tif 000002
【図２】
0003631316.tif 000003
【図３】
0003631316.tif 000004
【図４】
0003631316.tif 000005
【図５】
0003631316.tif 000006
【図６】
0003631316.tif 000007
【図７】
0003631316.tif 000008
【図８】
0003631316.tif 000009
【図９】
0003631316.tif 000010
【図１０】
0003631316.tif 000011
【図１１】
0003631316.tif 000012
【図１２】
0003631316.tif 000013